(57)【特許請求の範囲】
【請求項１】
原稿に光を照射して画像を読み取る際に、設定されている基準位置を用いて読み取りを行なう画像読取装置であって、
前記原稿が載置される原稿載置領域と所定の基準マークが配置された基準マーク領域とが形成される載置台と、
光電変換を行なう複数の素子が配列されたチップを該配列の方向を主走査方向として同方向に複数並べて構成され、前記原稿載置領域と前記基準マーク領域とを含む領域の読み取りが可能な読取手段と、
前記読取手段を副走査方向に移動させる移動手段と、
前記複数の素子のうち前記読取手段が副走査方向に移動されたときに前記基準マークを横切る素子を含む所定のマーク検出範囲内にある素子の出力を用いて該基準マークが検出されるよう前記読取手段と前記移動手段とを制御し、前記基準マークが検出されたときの前記読取手段の位置に基づいて前記基準位置を設定する基準位置設定手段と
を備え、
前記複数のチップのうち単一のチップで検出可能な範囲に前記マーク検出範囲を含め、該マーク検出範囲内に前記基準マークを配置することを特徴とする
画像読取装置。
【請求項２】
請求項１記載の画像読取装置であって、
前記載置台は、前記基準マークとして主走査方向に反射率の異なるパターンが形成されてなり、
前記基準位置設定手段は、前記マーク検出範囲内の素子の出力変化に基づいて前記基準マークを検出する手段である
画像読取装置。
【請求項３】
前記載置台は、前記基準マーク領域が前記原稿載置領域から外れた領域のうち該原稿載置領域の主走査方向の範囲内となる領域に形成されてなる請求項１または２記載の画像読取装置。
【請求項４】
前記読取手段は、コンタクトイメージセンサーとして構成されてなる請求項１ないし３いずれか１項に記載の画像読取装置。                   
【発明の詳細な説明】
【技術分野】
【０００１】
本発明は、原稿に光を照射して画像を読み取る際に、設定されている基準位置を用いて読み取りを行なう画像読取装置に関する。
【背景技術】
【０００２】
従来より、この種の画像読取装置としては、複数の光電変換素子が主走査方向に配列されたセンサーチップを主走査方向に複数並べて読取部を構成し、その読取部を副走査方向に移動させると共に載置板に載置された原稿に光を照射して反射光を読み取ることにより画像を得る装置が提案されている（例えば、特許文献１参照）。この装置では、載置板を支持する支持部に、複数の基準マーク穴が形成された基準位置特定プレートを、基準マーク穴の位置が原稿の読取開始位置を定める基準位置に対して所定の距離だけ離れた位置となるよう固定している。そして、プレート部分と複数の基準マーク穴との光の反射の相違に基づく光電変換素子の電圧変化を利用して基準マーク穴の位置を検出することにより、基準位置を特定するものとしている。
【先行技術文献】
【特許文献】
【０００３】
【特許文献１】特開２００８−２２７９７１号公報
【発明の概要】
【発明が解決しようとする課題】
【０００４】
上述した装置において、基準位置特定プレートが複数のセンサーチップの読取領域にまたがって固定されている場合には、異なるセンサーチップの光電変換素子の出力電圧を用いて基準マーク穴の位置を検出することになる。その場合、異なるセンサーチップ間の光電変換素子の感度バラツキによっては、基準マーク穴の位置を正確に読み取ることができないおそれがあり、基準位置を正確に特定できない場合が生じてしまう。
【０００５】
本発明の画像読取装置は、チップ間の素子に感度バラツキがある場合であっても、画像の読み取りに用いる基準位置を精度よく設定することを主目的とする。
【課題を解決するための手段】
【０００６】
本発明の画像読取装置は、上述の主目的を達成するために以下の手段を採った。
【０００７】
本発明の画像読取装置は、
原稿に光を照射して画像を読み取る際に、設定されている基準位置を用いて読み取りを行なう画像読取装置であって、
前記原稿が載置される原稿載置領域と所定の基準マークが配置された基準マーク領域とが形成される載置台と、
光電変換を行なう複数の素子が配列されたチップを該配列の方向を主走査方向として同方向に複数並べて構成され、前記原稿載置領域と前記基準マーク領域とを含む領域に対して読み取りが可能な読取手段と、
前記読取手段を副走査方向に移動させる移動手段と、
前記複数の素子のうち前記読取手段が副走査方向に移動されたときに前記基準マークを横切る素子を含む所定のマーク検出範囲内にある素子の出力を用いて該基準マークが検出されるよう前記読取手段と前記移動手段とを制御し、前記基準マークが検出されたときの前記読取手段の位置に基づいて前記基準位置を設定する基準位置設定手段と
を備え、
前記載置台は、前記マーク検出範囲内にある素子のすべてが単一チップ内の素子となる位置に前記基準マーク領域が形成されてなることを特徴とする。
【０００８】
この本発明の画像読取装置では、読取手段が副走査方向に移動されたときに基準マークを横切る素子を含む所定のマーク検出範囲内にある素子の出力を用いて基準マークが検出されるよう読取手段と移動手段とを制御し、基準マークが検出されたときの読取手段の位置に基づいて基準位置を設定し、設定されている基準位置を用いて読み取りを行なう。そして、載置台には、マーク検出範囲内にある素子のすべてが読取手段の複数のチップのうち単一チップ内の素子となる位置に基準マーク領域が形成されている。ここで、通常単一のチップ内における素子の感度バラツキは、異なるチップ間における素子の感度バラツキに比して小さくなることが多い。このため、異なるチップ間の素子に感度バラツキがある場合であっても画像の読み取りに用いる基準位置を精度よく設定することができる。ここで、読取手段は、コンタクトイメージセンサーとして構成されてなるものなどとすることができる。
【０００９】
本発明の画像読取装置において、前記載置台は、前記基準マークとして主走査方向に反射率の異なるパターンが形成されてなり、前記基準位置設定手段は、前記マーク検出範囲内の素子の出力変化に基づいて前記基準マークを検出する手段であるものとすることもできる。このような基準マークの検出においては、素子の感度バラツキによる影響が大きなものとなるから、本発明を適用する意義が高いものとなる。
【００１０】
また、本発明の画像読取装置において、前記載置台は、前記基準マーク領域が前記原稿載置領域から外れた領域のうち該原稿載置領域の主走査方向の範囲内となる領域に形成されてなるものとすることもできる。こうすれば、マーク検出範囲内にある素子のすべてが単一のチップ内の素子となる位置に基準マーク領域を形成するものとした場合でも、読取手段にマーク検出用の専用のチップを設ける必要がない。
【図面の簡単な説明】
【００１１】
【図１】本実施形態のスキャナー１０の構成の概略を示す概略構成図。
【図２】スキャナーユニット４０の構成の概略を示す概略構成図。
【図３】基準マーク領域１７と基準位置Ｋｐと読取開始位置Ｙｐとを示す説明図。
【図４】基準マーク領域１７とセンサーチップ５５との位置関係を示す説明図。
【図５】基準位置設定処理ルーチンの一例を示すフローチャート。
【発明を実施するための形態】
【００１２】
次に、本発明の実施の形態を図面を用いて説明する。図１は、本発明の一実施形態であるスキャナー１０の構成の概略を示す概略構成図である。本実施形態のスキャナー１０は、フレーム１３により保持される矩形状のガラス板１２に載置された原稿を光学的に読み取って画像データを生成するスキャナーユニット４０と、ユーザーによる各種操作が可能な操作パネル６０と、装置全体の制御を司るメインコントローラー２１とを備え、これらはバス２６を介して互いに信号のやり取りが可能なように接続される。なお、ガラス板１２の領域を原稿載置領域と称する。
【００１３】
スキャナーユニット４０は、コンタクトイメージセンサー（ＣＩＳ）タイプのフラットベッドスキャナーとして構成されており、スキャナーＡＳＩＣ４１と、スキャナー機構５０とを備える。スキャナーＡＳＩＣ４１は、スキャナー機構５０を制御する集積回路であり、メインコントローラー２１からのスキャン指令を受けると、ガラス板１２に載置された原稿を画像データとして読み取るようスキャナー機構５０を制御する。図２は、スキャナーユニット４０の構成の概略を示す概略構成図である。
【００１４】
スキャナー機構５０は、図２に示すように、ガラス板１２に載置された原稿に光を照射する光源ユニット５１と、原稿からの反射光を受光して電荷として蓄えることにより原稿を読み取るＣＩＳ５４と、光源ユニット５１とＣＩＳ５４とを搭載するキャリッジ５６と、ステッピングモーターとしての駆動モーター５９ａと従動ローラー５９ｂとに架け渡されるベルト５８を駆動モーター５９ａで駆動することによりキャリッジ５６を副走査方向に往復動させる移動機構５７とを備えている。
【００１５】
光源ユニット５１は、赤色光を点灯する赤ＬＥＤ５２Ｒと、緑色光を点灯する緑ＬＥＤ５２Ｇと、青色光を点灯する青ＬＥＤ５２Ｂの３つの光源を有しており、光源からの光を導光体５３を介してガラス板１２に向けて照射する。
【００１６】
ＣＩＳ５４は、複数の受光素子（例えば、ＣＭＯＳ撮像素子）５５ａが一列に配列されたセンサーチップ５５を、受光素子５５ａの配列方向が主走査方向となるようにして主走査方向に複数並べて構成されており、受光した光の強さに応じた大きさの電圧を出力する。ここで、本実施形態では、スキャナー１０がＡ４サイズの原稿の読み取りに１２００ｄｐｉ（dot per inch）の解像度で対応しているものとする。この場合、Ａ４サイズの原稿の幅が約８．５inchなので、主走査方向に１０２００dotの受光素子５５ａが必要となる。このとき、１つのセンサーチップ５５に６８８個の受光素子５５ａが配列されるものとすれば、値１０２００を値６８８で除して得られる値から１５個のセンサーチップ５５を主走査方向に並べればよいことがわかる。このように、本実施形態では、複数のセンサーチップ５５の一例として、１５個のセンサーチップ５５（１），（２），（３），・・・，（１５）によってＣＩＳ５４が構成されるものとした。なお、受光素子５５ａとしては、ＣＣＤ撮像素子を用いるものとしてもよい。
【００１７】
スキャナーＡＳＩＣ４１は、各デバイスの制御を司る制御回路４２と、制御回路４２からの制御信号を受けて赤ＬＥＤ５２Ｒと緑ＬＥＤ５２Ｇと青ＬＥＤ５２Ｂとをそれぞれ点灯させたり消灯させたりするＬＥＤ駆動回路４４と、ＣＩＳ５４から出力されたアナログ信号（電圧）を増幅する増幅器４５と、増幅器４５により増幅されたアナログ信号をデジタル信号に変換するＡ／Ｄ変換器４６と、制御回路４２からの制御信号を受けて駆動モーター５９ａを駆動するモーター駆動回路４７とを備える。ここで、スキャナーユニット４０は、原稿をカラーで読み取るカラーモードの他、原稿をモノクロで読み取るモノクロモードを備えている。制御回路４２は、カラーモード時には１ラインで赤ＬＥＤ５２Ｒと緑ＬＥＤ５２Ｇと青ＬＥＤ５２Ｂとを順次切り替えながら１つずつ点灯させてその反射光をＣＩＳ５４で読み取ってカラーイメージデータを生成し、モノクロモード時には１ラインで赤ＬＥＤ５２Ｒと緑ＬＥＤ５２Ｇと青ＬＥＤ５２Ｂとを同時に点灯させてその反射光をＣＩＳ５４で読み取ってモノクロイメージデータを生成する。
【００１８】
ここで、フレーム１３の下面には、光源ユニット５１の発光のバラツキや受光素子５５ａの素子毎の感度特性のバラツキ（以下、感度バラツキ）などに起因して生じる濃度ムラを除去するいわゆるシェーディング補正を行うための白基準板１６が取り付けられている。また、この白基準板１６と原稿載置領域としてのガラス板１２との間には、原稿の読み取りの基準となる基準位置Ｋｐを検出するための基準マーク領域１７が形成されている。この基準位置Ｋｐは、より具体的には原稿の読み取りを開始する読取開始位置Ｙｐの基準となる位置である。以下、基準マーク領域１７と基準位置Ｋｐと読取開始位置Ｙｐとの位置関係について説明する。図３は、基準マーク領域１７と基準位置Ｋｐと読取開始位置Ｙｐとを示す説明図である。図３（ａ）は、ガラス板１２とフレーム１３とを含む全体の位置関係を示す説明図であり、図３（ｂ）は、位置関係を拡大して示す説明図である。図３（ａ）に示すように、基準マーク領域１７は、フレーム１３における原稿載置領域（ガラス板１２）から外れた領域のうち原稿載置領域の主走査方向の範囲内となる領域に形成されている。また、スキャナー機構５０（ＣＩＳ５４）の読取可能領域としては、原稿載置領域と、白基準板１６と、基準マーク領域１７とを含む領域に若干のマージンを加えたものとして定められている。この読取可能領域のうち、原稿載置領域に対して若干のマージンを加えた領域が実際に原稿を読み取る領域となり、そのうち最も白基準板１６側の位置が読取開始位置Ｙｐとして定められている。また、図３（ｂ）に示すように、基準マーク領域１７には、主走査方向および副走査方向に反射率の異なるパターンが形成されるよう、白色の領域上に黒色に塗られた矩形状の基準マーク１７ａが３つ形成されている。この３つの基準マーク１７ａの主走査方向における計６つのエッジ位置は、予めＲＯＭ２３に記憶されている。また、この３つの基準マーク１７ａは、副走査方向における白基準板１６側のエッジ位置が同じ位置となるよう形成されており、この位置を基準マーク位置Ｍｐとする。そして、基準位置Ｋｐは、白基準板１６と対向する位置であって、基準マーク位置Ｍｐから距離Ｌ１だけ離れた位置となるよう定められる。また、そのように定められた基準位置Ｋｐと読取開始位置Ｙｐとの距離を距離Ｌ２とする。そして、これらの距離Ｌ１，Ｌ２に相当する駆動モーター５９ａのステップ数（回転量）が予めＲＯＭ２３に記憶されている。
【００１９】
次に、基準マーク領域１７とセンサーチップ５５との位置関係について説明する。図４は、基準マーク領域１７とセンサーチップ５５との位置関係を示す説明図である。ここで、ＣＩＳ５４が副走査方向に移動されたときに基準マーク１７ａを横切る受光素子５５ａを含めて基準マーク１７ａのエッジの検出に必要とされる範囲をマーク検出範囲と称する。そして、図示するように、上述した１５個のセンサーチップ５５のうち、単一のセンサーチップ５５（例えば、センサーチップ５５（２））にマーク検出範囲が含まれるように基準マーク領域１７が形成されている。なお、センサーチップ５５（２）に限られず、単一のセンサーチップ５５にマーク検出範囲が含まれるものであれば、どのセンサーチップ５５の範囲内に基準マーク領域１７が形成されていてもよい。
【００２０】
操作パネル６０は、図１に示すように、表示部６２とボタン類６４とを備える。表示部６２は、液晶ディスプレイであり、メニューの選択や設定を行なう各種操作画面などが表示される。また、ボタン類６４は、電源をオンオフするための電源ボタンやスキャンの開始を指示するスタートボタン，カラーモードやモノクロモードなどの各種スキャン設定を行なうための設定ボタンなどがある。
【００２１】
メインコントローラー２１は、ＣＰＵ２２を中心とするマイクロプロセッサーとして構成されており、各種処理プログラムや各種データ、各種テーブルなどを記憶したＲＯＭ２３と、一時的にスキャンデータや印刷データを記憶するＲＡＭ２４と、外部との通信を可能とする通信インターフェース（Ｉ／Ｆ）２５とを備えている。メインコントローラー２１は、スキャナーユニット４０からの各種動作信号や各種検出信号を入力したり、操作パネル６０のボタン類６４の操作に応じて発生する操作信号を入力したりする。また、操作パネル６０のボタン類６４のスキャン指令に基づいてガラス板１２に載置された原稿を画像データとして読み取るようスキャナーユニット４０に指令を出力したり、操作パネル６０に表示部６２の制御指令を出力したりする。
【００２２】
次に、こうして構成された本実施形態のスキャナー１０の動作、特に、基準位置Ｋｐを設定する際の動作について説明する。図５は、メインコントローラー２１により実行される基準位置設定処理ルーチンの一例を示すフローチャートである。この処理は、例えば、スキャナー１０の電源がオンされたときに一連の初期化処理の一部として実行される。なお、この処理が開始されるときには、ＣＩＳ５４（キャリッジ５６）が白基準板１６に対向する位置にあるものとして説明する。
【００２３】
基準位置設定処理ルーチンが実行されると、メインコントローラー２１のＣＰＵ２２は、まず、駆動モーター５９ａを駆動制御してＣＩＳ５４（キャリッジ５６）を白基準板１６に対向する位置から基準マーク領域１７側に移動させると共に（ステップＳ１００）、１ライン分ずつ受光素子５５ａの出力を読み出す（ステップＳ１１０）。そして、読み出した１ライン分の出力のうち上述したマーク検出範囲内にある受光素子５５ａの出力を用いて基準マーク１７ａの検出処理を行なって（ステップＳ１２０）、基準マーク１７ａを検出したか否かを判定する（ステップＳ１３０）。ここで、ＣＩＳ５４が基準マーク１７ａを読取可能な位置まで移動すると、基準マーク１７ａの主走査方向におけるエッジ位置を境として読み出した受光素子５５ａの出力が変化する。このため、そのような出力の変化位置を特定し、特定した変化位置がＲＯＭ２３に記憶された基準マーク１７ａの主走査方向におけるエッジ位置と一致するか否かに基づいて基準マーク１７ａの検出処理を行なうものとした。
【００２４】
ステップＳ１３０で基準マーク１７ａを検出していないと判定した場合には、検出するまでステップＳ１００〜１２０の処理を繰り返す。そして、ステップＳ１３０で基準マーク１７ａを検出したと判定した場合には、ＣＩＳ５４（キャリッジ５６）の現在位置を上述した基準マーク位置Ｍｐに設定する（ステップＳ１４０）。そして、設定した基準マーク位置Ｍｐに基づいて基準位置Ｋｐを設定して（ステップＳ１５０）、本ルーチンを終了する。なお、上述したように、基準マーク位置Ｍｐと基準位置Ｋｐとは、距離Ｌ１だけ離れるよう定めたから、基準マーク位置ＭｐとＲＯＭ２３に記憶された距離Ｌ１に相当するステップ数とを用いて基準位置Ｋｐを設定することができる。また、基準位置Ｋｐと読取開始位置Ｙｐとは距離Ｌ２だけ離れたものとしたから、本ルーチンで設定した基準位置ＫｐとＲＯＭ２３に記憶された距離Ｌ２に相当するステップ数とを用いて読取開始位置Ｙｐを設定することができ、スキャン指令がなされたときには読取開始位置Ｙｐから画像の読み取りが行なわれることになる。
【００２５】
ここで、異なるセンサーチップ５５に組み込まれる受光素子５５ａは、単一のセンサーチップ５５に組み込まれる受光素子５５ａに比して、その素材や製造時期，製造条件などが異なるものとなることが多い。このため、異なるセンサーチップ５５に組み込まれる受光素子５５ａ同士の感度バラツキは、単一のセンサーチップ５５に組み込まれる受光素子５５ａ同士の感度バラツキに比して通常は大きくなるものといえる。そして、本実施形態のように、主走査方向におけるエッジ位置を境とした出力変化を用いて基準マーク１７ａの検出処理を行なう場合には、そのような受光素子５５ａの感度バラツキの影響が大きなものとなる。したがって、基準マーク領域１７が複数のセンサーチップ５５にまたがって形成されて、基準マーク１７ａを検出するマーク検出範囲が異なるセンサーチップ５５の受光素子５５ａを含むものとなる場合には、受光素子５５ａの感度バラツキにより基準マーク１７ａの検出精度が低下するおそれがある。これに対して、本実施形態では、マーク検出範囲は単一のセンサーチップ５５（センサーチップ５５（２））内に収まる範囲となっているから、感度バラツキが比較的小さな単一のセンサーチップ５５内の受光素子５５ａの出力を用いて、精度よく基準マーク１７ａを検出することができる。また、基準マーク１７ａを精度よく検出することができるために、基準位置Ｋｐの設定や基準位置Ｋｐに基づく読取開始位置Ｙｐの設定を精度よく行なうことができ、結果として、画像の読取精度の向上を図ることができるのである。基準マーク領域１７を単一のセンサーチップ５５内に収まるように形成したのは、こうした理由による。
【００２６】
ここで、本実施形態の構成要素と本発明の構成要素との対応関係を明らかにする。本実施形態のガラス板１２とフレーム１３とが本発明の「載置台」に相当し、ＣＩＳ５４が「読取手段」に相当し、ベルト５８と駆動モーター５９ａと従動ローラー５９ｂとを備えてＣＩＳ５４を搭載するキャリッジ５６を往復動させる移動機構５７が「移動手段」に相当し、図５の基準位置設定処理ルーチンを実行するメインコントローラー２１が「基準位置設定手段」に相当する。
【００２７】
以上説明した本実施形態のスキャナー１０によれば、ＣＩＳ５４が副走査方向に移動されたときに基準マーク１７ａを横切る素子を含むマーク検出範囲内にある受光素子５５ａの出力を用いて基準マーク１７ａを検出し、基準マーク１７ａを検出したときのキャリッジ５６の位置に基づいて基準位置Ｋｐを設定し、設定した基準位置Ｋｐに基づいて定まる読取開始位置Ｙｐから画像の読み取りを行なう。そして、マーク検出範囲内にある受光素子５５ａのすべてが、ＣＩＳ５４の複数のセンサーチップ５５のうち単一のセンサーチップ５５（２）内の素子となる位置に基準マーク領域１７が形成されるものとしたから、異なるセンサーチップ５５の受光素子５５ａに感度バラツキがある場合であっても基準位置Ｋｐを精度よく設定することができる。また、基準マーク領域１７は、原稿載置領域から外れた領域のうち原稿載置領域の主走査方向における範囲内となる領域に形成するものとしたから、マーク検出範囲内にある受光素子５５ａのすべてが単一のセンサーチップ５５内の素子となる位置に基準マーク領域１７を形成するものとした場合でも、マーク検出用の専用のセンサーチップ５５を設ける必要がない。
【００２８】
なお、本発明は上述した実施形態に何ら限定されることはなく、本発明の技術的範囲に属する限り種々の態様で実施し得ることはいうまでもない。
【００２９】
上述した実施形態では、基準マーク領域１７には３つの基準マーク１７ａが配置されるものとしたが、これに限られず、１つの基準マークが配置されるものとしてもよいしあるいは２つや４つ以上の複数の基準マークが配置されるものとしてもよい。また、基準マーク１７ａの形状も矩形状に限られず、線状など如何なる形状としてもよい。さらに、基準マーク１７ａとしては、白色の領域上に黒色に塗られたマークに限られず、反射率の異なるパターンが形成されるものであれば如何なるものとしてもよい。例えば、黒色板と、穴が形成された白色板とをフレーム１３の下面に白色板が下方となるよう重ねて取り付けておき、白色板に形成された穴から露出する黒色板の一部をマークとして用いるものなどとしてもよい。
【００３０】
上述した実施形態では、基準位置設定処理ルーチンの処理開始時にはＣＩＳ５４が白基準板１６に対向する位置にあるものとしたが、これに限られるものではない。例えば、基準位置設定処理ルーチンの開始時に、まず、ＣＩＳ５４を白基準板１６に対向する位置まで移動させてから処理を行なうものなどとしてもよい。あるいは、原稿載置領域としてのガラス板１２にＣＩＳ５４が対向する位置にある場合に、その位置から処理を開始するものとしてもよい。この場合、基準マーク１７ａの白基準板１６側のエッジ位置を基準マーク位置Ｍｐとして基準位置Ｋｐとの距離Ｌ１を定める代わりに、基準マーク１７ａのガラス板１２側のエッジ位置を基準マーク位置Ｍｐとして基準位置Ｋｐとの距離を定めるものとすればよい。また、基準位置Ｋｐは、基準マーク位置Ｍｐとの距離が定められると共に読取開始位置Ｙｐとの距離が定められる位置であれば白基準板１６上の位置に限られず、基準マーク領域１７とガラス板１２との間の位置などに定めるものとしてもよい。
【００３１】
上述した実施形態では、スキャナーユニット４０がＣＩＳタイプのフラットベッドスキャナーとして構成されているものとしたが、複数のセンサーチップ５５を備えるものであればＣＩＳタイプに限られるものではなく、複数のセンサーチップを備えるＣＣＤ方式のスキャナーとして構成されているものとしてもよいもよい。また、オートシートフィーダー機構を備えるものなどとしてもよい。さらに、光源ユニット５１がＬＥＤを用いるものとしたが、ＬＥＤ以外の光源を用いるものとしてもよい。
【００３２】
上述した実施形態では、本発明をスキャナー単体機としてのスキャナー１０に適用して説明したが、これに限られず、スキャナー機能以外にプリンター機能を有するスキャナーに適用するものとしてもよいし、ＦＡＸ機能を有するスキャナーに適用するものとしてもよい。
【符号の説明】
【００３３】
１０  スキャナー、１２  ガラス板、１３  フレーム、１６  白基準板、１７  基準マーク領域、１７ａ  基準マーク、２１  メインコントローラー、２２  ＣＰＵ、２３  ＲＯＭ、２４  ＲＡＭ、２５  通信インターフェース（Ｉ／Ｆ）、２６  バス、４０  スキャナーユニット、４１  スキャナーＡＳＩＣ、４２  制御回路、４４  ＬＥＤ駆動回路、４５  増幅器、４６  Ａ／Ｄ変換器、４７  モーター駆動回路、５０  スキャナー機構、５１  光源ユニット、５２Ｒ，５２Ｇ，５２Ｂ  ＬＥＤ、５３  導光体、５４  ＣＩＳ、５５，５５（１），５５（２），５５（３）  センサーチップ、５５ａ  受光素子、５７  移動機構、５６  キャリッジ、５８  ベルト、５９ａ  駆動モーター、５９ｂ  従動ローラー、６０  操作パネル、６２  表示部、６４  ボタン類、Ｋｐ  基準位置、Ｍｐ  基準マーク位置、Ｙｐ  読取開始位置。
【図１】
0005678547.tif 000002
【図２】
0005678547.tif 000003
【図３】
0005678547.tif 000004
【図４】
0005678547.tif 000005
【図５】
0005678547.tif 000006